(57)【要約】【課題】第１および第２の髪挟み部を重ね合わせた状態の握り部のサイズを小さくできて握り易くすることができると共に、ファンへの十分な吸気を確保でき、かつ、髪を吸い込まないヘアアイロンを提供する。【解決手段】第1の髪挟み部１は、ケーシング６と、ケーシング６内に夫々設けられたファンユニット２２、挟持体１５，１６およびイオン発生器２１とを備える。上記第１の髪挟み部１の第２の髪挟み部２に対向する面以外の上記ケーシング６の外観面に、吸気口１０，１１，１２を設ける。【選択図】図３
2013121497.tif 000002
【特許請求の範囲】
【請求項１】
互いに揺動可能に一端部が連結された第1の髪挟み部および第２の髪挟み部
を備え、
上記第1の髪挟み部および上記第２の髪挟み部の各々は、
上記一端部側の握り部と、他端部側の髪処理部とを有し、
上記第1の髪挟み部は、
ケーシングと、
上記ケーシング内に夫々設けられたモータ、ファン、ヒータおよび帯電粒子生成装置と、
上記第２の髪挟み部に対向する面以外の上記ケーシングの外観面に設けられた吸気口と、
上記ケーシングの上記髪処理部側に設けられた吹出口と
を有することを特徴とするヘアアイロン。
【請求項２】
請求項１に記載のヘアアイロンにおいて、
上記吸気口の近傍に、リブを設けたことを特徴とするヘアアイロン。
【請求項３】
請求項１または２に記載ヘアアイロンにおいて、
上記ケーシング内における上記ファンの下流側に、上記帯電粒子生成装置に連結される貯水タンクを備えることを特徴とするヘアアイロン。
【請求項４】
請求項３に記載のヘアアイロンにおいて、
上記ケーシングと上記貯水タンクの側面との間に風路を設けていることを特徴とするヘアアイロン。
【請求項５】
請求項１から４のいずれか１つに記載のへアイロンにおいて、
上記第１の髪挟み部に張り出し部を設け、
上記第２の髪挟み部に上記張り出し部に対応する凹部を設け、
上記第１の髪挟み部と上記第２の髪挟み部とを重ね合わせたときに、上記張り出し部が上記凹部に嵌合されることを特徴とするヘアアイロン。
【請求項６】
請求項５に記載のヘアアイロンにおいて、
上記ファンは、上記張り出し部の内側に入り込むように配置されていることを特徴とするヘアアイロン。
【請求項７】
請求項１から６のいずれか１つに記載のヘアアイロンにおいて、
上記吸気口が、上記ケーシングの外観面の上面および側面に設けられていることを特徴とするヘアアイロン。
【請求項８】
請求項１から７のいずれか１つに記載のヘアアイロンにおいて、
上記第１の髪挟み部の上記髪処理部側に、上記モータ、ファン、ヒータおよび帯電粒子発生部を配置し、上記吸気口が、上記握り部ではなく、上記ケーシングの上記髪処理部側に設けられていることを特徴とするヘアアイロン。
【発明の詳細な説明】
【技術分野】
【０００１】
この発明は、へアアイロンに関する。
【背景技術】
【０００２】
従来、ヘアアイロンとしては、特開２００３−３１０３３９号公報（特許文献１）に記載されたものがある。このヘアアイロンは、揺動可能に一端部が連結された第１の髪挟み部および第２の髪挟み部を備え、この第１の髪挟み部および第２の髪挟み部の各々には、一端部側に握り部を、他端部側に髪処理部を設けている。そして、上記第１の髪挟み部は、ケーシングと、このケーシング内にイオン発生器、ファンおよびヒータを設け、このケーシングの第２の髪挟み部の握り部に対向する対向面に吸気口を設けて、この吸気口からファンへ空気を吸い込むようにしている。
【先行技術文献】
【特許文献】
【０００３】
【特許文献１】特開２００３−３１０３３９号公報
【発明の概要】
【発明が解決しようとする課題】
【０００４】
しかしながら、上記従来のヘアアイロンでは、上記第２の髪挟み部の握り部に対向する第１の髪挟み部の握り部の対向面に吸気口を設けているため、吸気口を第２の髪挟み部の握り部で塞がないように、第１および第２の髪挟み部の握り部の間に吸気用の大きな隙間を設ける必要があった。このように、この吸気用の隙間を大きくすると、第１および第２の髪挟み部の握り部を握るときの寸法が大きくなって握りにくくなり、一方、吸気用の隙間を小さくすると、吸気抵抗が大きくなって、十分に空気を吸い込むことができないという問題があった。
【０００５】
また、上記第１の髪挟み部と第２の髪挟み部との間は、ヘアアイロン使用時に髪を挟む場所であるので、ここに吸気口を設けると、髪の毛が吸気口にどうしても吸い込まれてしまうという問題がある。特許文献１では、この吸気口に髪が吸い込まれないと記載されているが、実際に髪を挟んだ状態では、吸込口が髪の挟持面の近くの挟んだ髪に近い位置にあるため、髪が吸い込まれる場合があった。
【０００６】
そこで、この発明の課題は、第１および第２の髪挟み部を重ね合わせた状態の握り部のサイズを小さくできて握り易くすることができると共に、ファンへの十分な吸気を確保でき、かつ、髪を吸い込まないヘアアイロンを提供することにある。
【課題を解決するための手段】
【０００７】
上記課題を解決するため、この発明のヘアアイロンは、
互いに揺動可能に一端部が連結された第1の髪挟み部および第２の髪挟み部
を備え、
上記第１の髪挟み部および上記第２の髪挟み部の各々は、
上記一端部側の握り部と、他端部側の髪処理部とを有し、
上記第１の髪挟み部は、
ケーシングと、
上記ケーシング内に夫々設けられたモータ、ファン、ヒータおよび帯電粒子生成装置と、
上記第２の髪挟み部に対向する面以外の上記ケーシングの外観面に設けられた吸気口と、
上記ケーシングの上記髪処理部側に設けられた吹出口と
を有することを特徴とする。
【０００８】
上記構成によれば、吸気口が第２の髪挟み部に対向する面以外の第１の髪挟み部のケーシングの外観面に設けられているので、第１の髪挟み部と第２の髪挟み部との間に吸気用の空間を設ける必要がない。そのため、第１および第２の髪挟み部を重ね合わせた状態での握り部のサイズを小さくすることができると共に、十分な吸気を確保することができる。
【０００９】
また、上記吸気口が第２の髪挟み部に対向する面以外の第１の髪挟み部のケーシングの外観面に設けられているため、ユーザの髪が吸気口に吸い込まれることが殆んどなく、吸気性能の低下を低減することができる。
【００１０】
また、一実施形態のヘアアイロンでは、
上記吸気口の近傍に、リブを設けている。
【００１１】
上記実施形態によれば、上記吸気口の近傍に、リブを設けているので、仮に吸気口がユーザの手で覆われたとしても、このリブの突出によって、上記吸気口が完全に塞がれることがない。そのため、確実に吸気をすることができる。
【００１２】
また、一実施形態のヘアアイロンでは、
上記ケーシング内における上記ファンの下流側に、上記帯電粒子生成装置に連結される貯水タンクを備える。
【００１３】
上記実施形態によれば、上記ケーシング内における上記ファンの下流側に、上記帯電粒子生成装置に連結される貯水タンクを備えているので、この帯電粒子生成装置によってラジカル成分を含む帯電微粒子水を生成することができる。
【００１４】
また、一実施形態のヘアアイロンでは、
上記ケーシングと上記貯水タンクの側面との間に風路を設けている。
【００１５】
上記実施形態によれば、上記ケーシングと上記貯水タンクの側面との間に風路を設けているので、上記ファンで生成される空気の流れが、上記貯水タンクによって妨げられることが少ない。したがって、空気を上記吹出口より効率よく吹出すことができる。
【００１６】
また、一実施形態のヘアアイロンでは、
上記第１の髪挟み部に張り出し部を設け、
上記第２の髪挟み部に上記張り出し部に対応する凹部を設け、
上記第１の髪挟み部と上記第２の髪挟み部とを重ね合わせたときに、上記張り出し部が上記凹部に嵌合される。
【００１７】
上記実施形態によれば、使用中は第１の髪挟み部と第２の髪挟み部において張り出し部が凹部に嵌合されるため、第１の髪挟み部と第２の髪挟み部とがずれて、高温部分がユーザに直接触れる等の事故の発生を防止して、使用時の安全を確保することができる。
【００１８】
また、一実施形態のヘアアイロンでは、
上記ファンは、上記張り出し部の内側に入り込むように配置されている。
【００１９】
上記実施形態によれば、張り出し部により広がった第１の髪挟み部のケーシング内にファンが配置されているので、大容量のファンユニットを確保できる、もしくは、通常のファンユニットの設置に比べ、ヘアアイロンの髪処理部側の厚さ寸法を抑えることができる。
【００２０】
また、一実施形態のヘアアイロンでは、
上記吸気口が、上記ケーシングの外観面の上面および側面に設けられている。
【００２１】
上記実施形態によれば、吸気口がケーシングの外観面の上面および側面に設けられているので、吸気抵抗が少なく、より確実に吸気をすることができる。
【００２２】
また、一実施形態のヘアアイロンでは、
上記第１の髪挟み部の上記髪処理部側に、上記モータ、ファン、ヒータおよび帯電粒子生成装置を配置し、上記吸気口が、上記握り部ではなく、上記ケーシングの上記髪処理部側に設けられている。
【００２３】
上記実施形態によれば、上記ファンと吸気口がケーシングの髪処理部側に設けられ、吸気口からファンまでの距離が短くなるため、吸気抵抗を小さくすることができ、小さな出力のファンで充分な空気を吸い込むことができる。また、上記吸気口が髪処理部側にあるので、ヘアアイロンの使用時に、吸気口がユーザの手で覆われることが少なく、吸気性能の低下を低減することができる。
【発明の効果】
【００２４】
以上より明らかなように、この発明によれば、第１および第２の髪挟み部を重ね合わせた状態の握り部のサイズを小さくできて握り易くすることができると共に、ファンへの十分な吸気を確保でき、かつ、髪を吸い込まないヘアアイロンを実現することができる。
【図面の簡単な説明】
【００２５】
【図１】図１は、この発明の第１実施形態のヘアアイロンの斜視図である。
【図２】図２は、上記ヘアアイロンの側面図である。
【図３】図３は、上記ヘアアイロンを示す図１のIII−III線断面図である。
【図４】図４は、上記ヘアアイロンを示す図３のIV−IV線端面図である。
【図５】図５は、上記ヘアアイロンを示す図３のＶ−Ｖ線端面図である。
【図６】図６は、上記ヘアアイロンを示す図３のVI−VI線端面図である。
【図７】図７は、この発明の第２実施形態のヘアアイロンの上面図である。
【図８】図８は、上記ヘアアイロンを示す図７のVIII-VIII線断面である。
【発明を実施するための形態】
【００２６】
以下、この発明のヘアアイロンを図示の実施の形態により詳細に説明する。
【００２７】
（第１実施形態）
この発明の第１実施形態のヘアアイロンは、図１，図２に示すように、第１の髪挟み部１と第２の髪挟み部２とを備えている。上記第１の髪挟み部１および第２の髪挟み部２は、それぞれ握り部３，８と髪処理部４，９とを有していて、握り部３，８側の端部で揺動軸５により互いに揺動可能に連結されている。また、上記第１の髪挟み部１および第２の髪挟み部２は、上下に対向するように配置されている。
【００２８】
上記第１の髪挟み部１と第２の髪挟み部２との間には、第２の髪挟み部２を第１の髪挟み部１から遠ざける方向に付勢する図示しないバネを上記揺動軸５周りに設けている。図２に示すように、第２の髪挟み部２は、第１の髪挟み部１から揺動軸５を軸として離れていき、点線で示した位置でバネにより保持される。
【００２９】
上記第１の髪挟み部１は、ケーシング６を有している。このケーシング６は、例えばＰＥＴ（ポリエチレンテレフタレート）等の合成樹脂からなる略羽子板形状で、握り部３の幅および厚さを髪処理部４よりも小さくして握り易くしている。また、上記ケーシング６の髪処理部４の握り部３側の端部には、握り部３側から髪処理部４側へ向かって上昇する傾斜面を設けている。
【００３０】
上記ケーシング６の髪処理部４側の側面には、円形状の吹出口１３を左右にそれぞれ複数個設けている。また、上記ケーシング６の握り部３側の側面には左右にスライドする電源スイッチ１４を設けている。
【００３１】
上記ケーシング６の髪処理部４の握り部３側の端部の上面と両側面には、吸気口１０，１１，１２を設けている。このように三面に吸気口１０，１１，１２を設けているのは、吸気口１０，１１，１２の面積を広く取り、ユーザの指や手で覆われたとしても、完全に塞がれることがないようにするためである。
【００３２】
上記吸気口１０，１１，１２には、閉塞防止のためのリブ１７，１８，１９をケーシング６の長手方向等間隔に複数設けている。このリブ１７，１８，１９によって、吸気口１０，１１，１２がユーザの指や手で覆われたとしても、リブにより、指や手と吸気口１０，１１，１２との間に隙間ができ、吸気口１０，１１，１２が完全に塞がれることがないようにしている。
【００３３】
上記ケーシング６は、図３に示すように、中空形状で、その内部には、帯電粒子生成装置の一例のイオン発生器２１と、ファンユニット２２と、電源部２３と、挟持体１５とを有している。
【００３４】
上記イオン発生器２１は、髪処理部４のファンユニット２２と吹出口１３との間の天井部分に設けている。このイオン発生器２１は、Ｈ＋（Ｈ２Ｏ）ｍ（ｍは任意の自然数）である正イオンと、Ｏ２−（Ｈ２Ｏ）ｎ（ｎは任意の自然数）である負イオンとを放出する。これらのイオンは、空気中の浮遊細菌の表面に付着し、化学反応して活性種であるＨ２Ｏ２または・ＯＨ（水酸基ラジカル）を生成する。Ｈ２Ｏ２または・ＯＨは、極めて強力な活性を示すため、空気中の浮遊細菌であるカビや雑菌を取り囲んで不活化、除去することができる。もっとも、イオン発生器２１は、例えば、通常の負イオンのみ、または、正イオンのみ、または、正負のイオンを発生するものであってもよい。
【００３５】
上記ファンユニット２２は、図示しないファンと、このファンを駆動する図示しないモータとからなり、髪処理部４の握り部３側の端部に設けている。このファンユニット２２の周囲および握り部３側近傍には、図３，図４に示すように、吸気口１０，１１，１２を設けていて、この吸気口１０，１１，１２からファンユニット２２への空気の吸い込み抵抗が小さくなるようにしている。
【００３６】
また、上記電源部２３は、握り部３に設けていて、ケーシング６外観面の電源スイッチ１４と連結している。この電源部２３には、図示しない外部電源を接続していて、上記電源スイッチ１４のオン操作に連動して、図示しない導電線を介してイオン発生器２１やファンユニット２２等に駆動動力を供給する。
【００３７】
上記第１の髪挟み部１の髪処理部４側の底部に設けた開口には、挟持体１５を設けている。この挟持体１５は平板形状で、上記開口からケーシング６の底部側の外部に挟持体１５の露出面が露出していて、この挟持体１５の露出面は、全面がフラットである。また、この挟持体１５は、図示しないヒータと、このヒータを保持固定する外装ケースとからなる。上記ヒータには、例えば、ＰＴＣ（ポジティブテンパーチャーコエフィシエント）ヒータやコイルヒータ、シーズヒータ等を用いていて、上記外装ケースは、例えば、アルミニウム等の高熱伝導部材から形成されている。
【００３８】
上記ケーシング６の挟持体１５とファンユニット２２との間のイオン発生器２１の下側には、点検口２０を設けている。この点検口２０を設けることで、イオン発生器２１をケーシング６内部から取り出すことなく、イオン発生器２１に付着した埃等を取り除くことができる。なお、この点検口２０には、着脱自在の蓋を設けていて、イオン発生器２１の埃等の除去は、この蓋を取り外して行う。
【００３９】
上記第２の髪挟み部２は、図３に示すように、ケーシング７と挟持部１６とを有している。この挟持部１６は、上記第１の髪挟み部１に設けている挟持部１５と全く同じ構成であり、第１の髪挟み部１の挟持体１５と同様に、上記ケーシング７の上面の髪処理部４側に設けた開口に設けていて、この開口からケーシング７の上面側の外部にフラットな露出面が露出している。上記第１の髪挟み部１の挟持体１５の露出面と、この第２の髪挟み部２の挟持体１６の露出面とが髪を挟んで、挟んだ髪にアイロン作用をもたらす。
【００４０】
上記第２の髪挟み部２のケーシング７は、第１の髪挟み部１と第２の髪挟み部２とを重ね合わせたときに接合部分の形状が幅方向に一致するように、第１の髪挟み部１のケーシング６と同じ外郭の幅方向の形状に形成している。
【００４１】
図４は、上記ヘアアイロンを示す図３のIV−IV線端面図である。図３，４に示すように、上記第１の髪挟み部１のケーシング６の底面には、ファンユニット２２をケーシング６内部に配置する際に位置を決めるための張り出し部３１を設けている。このように第１の髪挟み部１に張り出し部３１を設けてファンユニット２２を取り付けることで、ヘアアイロンの髪処理部４側の厚さ寸法を抑えつつ、より大容量のファンユニット２２を使用することができる。
【００４２】
上記第２の髪挟み部２には、第１の髪挟み部１と第２の髪挟み部２とを重ね合わせた状態において、上記張り出し部３１に対応する凹部３２を設けている。第２の髪挟み部２に凹部３２を設けることで、第１の髪挟み部１と第２の髪挟み部２とを重ね合わせたときに張り出し部３１が凹部３２に嵌合されるので、使用中に第１の髪挟み部１と第２の髪挟み部２とがずれて、高温の挟持部１５，１６がユーザに直接触れる等の事故の発生を防止して、使用時の安全を確保することができる。
【００４３】
図５は、上記ヘアアイロンを示す図３のＶ−Ｖ線端面図である。図５に示すように、上記点検口２０は、ケーシング６の底部にイオン発生器２１の幅よりも大きく開口している。このように、点検口２０をイオン発生器２１の幅よりも大きく開口することによって、メンテナンス器具を点検口２０からケーシング６の内部に入れ易くなり、容易にイオン発生器２１に付着した埃等を取り除くことができる。
【００４４】
図６は、上記ヘアアイロンを示す図３のVI−VI線端面図である。図３，図６に示すように、上記挟持部１５，１６は、第１の髪挟み部１および第２の髪挟み部２を重ね合わせたときに、接合面がずれることなく正対するように配置している。また、第１の髪挟み部１のケーシング６の左右の側面の挟持部１５よりも上の位置に吹出口１３を設けている。
【００４５】
上記構成のヘアアイロンにおいて、まず、握り部３にあるスイッチ１４を入れる。そうすると、電源部２３からイオン発生器２１、ファンユニット２２、挟持体１５，１６のヒータに電力が供給されて、それらが駆動される。
【００４６】
次に、真っ直ぐにしたい髪の部分を上記第１の髪挟み部１および第２の髪挟み部２の各々の挟持体１５，１６の間に挟んで、握り部３，８を握る。握り部３，８を握ると、開いていた第１の髪挟み部１と第２の髪挟み部２との間の空間が閉じて、第１の髪挟み部１および第２の髪挟み部２の各々の挟持体１５，１６により髪が挟持される。
【００４７】
そして、握り部３，８を握って髪を挟持したまま、髪に沿って梳き流す。このとき、挟持されている髪は、第１の髪挟み部１および第２の髪挟み部２の各々の挟持体１５，１６のヒータから外装ケースに伝導する熱で加熱されると共に、挟持体１５，１６のフラットな露出面に挟まれたまま梳き流される。そのため、髪を真っ直ぐに伸ばすことができる。
【００４８】
また、上記ファンユニット２２が駆動されているので、上記ケーシング６の吸気口１０，１１，１２近傍の空気が、この吸気口１０，１１，１２からケーシング６内部に吸気されて、髪処理部４側に向かって吹き出される。
【００４９】
上記ファンユニット２２および上記吸気口１０，１１，１２が、ケーシング６の髪処理部４側に設けられているので、吸気口１０，１１，１２からファンユニット２２までの距離が短くなり、吸気抵抗を小さくすることができると共に、小さな出力のファンでも充分な空気を吸い込むことができる。もし、吸気口１０，１１，１２を握り部３，８に設けるとするならば、吸気口１０，１１，１２からファンまでの距離が長くなって吸気抵抗が大きくなるのである。
【００５０】
また、上記吸気口１０，１１，１２がケーシング６の外観面の上面および左右両側面に設けられているので、吸気抵抗が少なく、より確実に吸気をすることができる。
【００５１】
このとき、上記イオン発生器２１によって生成されたイオンが、イオン発生器２１からケーシング６内部に放出される。この放出されたイオンは、上記ファンユニット２２によって生成された空気の流れに乗り、吹出口１３からケーシング６外部に放出され、ユーザの髪およびその周辺を包み込む。このユーザの髪を包み込んだイオンにより帯電した髪が中和されるため、髪のぱさつきを防止することができる。また、イオンを取り囲む水分子が髪の内部に浸透するため、髪内部の水分量を増加させて効率よく髪を真っ直ぐに伸ばすことができる。さらに、挟持体１５，１６により加熱された後には、失った水分を補填して、加熱による髪へのダメージを抑えることができる。また、アイロン面である挟持部１５，１６の進行方向の前後に吹出口１３を設けることにより、アイロン処理の前後で水分を髪に供給することができ、アイロン処理による髪のダメージを軽減することができる。また、髪はプラスに帯電しやすいためマイナスイオンのみを供給する製品があるが、その場合、髪は弱マイナスに帯電されてしまう。弱マイナスに帯電した後はマイナスイオンと髪が反発するため、イオンにより水分子が供給できなくなる。しかし、本発明のようにプラスイオンとマイナスイオンを供給することにより、髪の帯電が防止されるだけでなく、水分子の供給が絶え間なく行われ髪の広がり、摩擦によるキューティクルダメージが発生し髪のつやが減少し、枝毛、切毛といった傷みが生じることを防止することができる。
【００５２】
このとき、上記吸気口１０，１１，１２が第２の髪挟み部２に対向する面以外の第１の髪挟み部１のケーシング６の外観面に設けられているので、第１の髪挟み部１と第２の髪挟み部２との間に吸気用の空間を設ける必要がない。そのため、第１の髪挟み部１と第２の髪挟み部２とを重ね合わせた状態での握り部３，８のサイズを小さくすることができて、握り易くなると共に、十分な吸気を確保することができる。
【００５３】
また、上記吸気口１０，１１，１２が第２の髪挟み部２に対向する面以外の第１の髪挟み部１のケーシング６の外観面に設けられているため、ユーザの髪の毛が吸気口１０，１１，１２に吸い込まれることがなく、従って吸気性能の低下を低減することができる。
【００５４】
また、上記吸気口１０，１１，１２が髪処理部４側にあるので、ヘアアイロンの使用時に、吸気口１０，１１，１２が手で覆われることが少なく、吸気性能の低下を低減することができる。
【００５５】
上記ヘアアイロンでは、吸気口１０，１１，１２を第１の髪挟み部１のケーシング６の上面および左右両側面に設けているが、これに限られず、例えば、上面のみ、あるいは、左右両側面のみに設けてもよい。もっとも、吸気口の数を減らすことで吸気性能は低下するが、１つの吸気口であっても使用可能である。
【００５６】
また、上記吸気口１０，１１，１２は、第１の髪挟み部１の握り部３に設けても良い。もっとも、吸気口１０，１１，１２を握り部３に設けることで、ファンと吸気口１０，１１，１２との距離が遠くなり吸気性能は低下するが、使用可能である。
【００５７】
上記ヘアアイロンでは、吹出口１３をケーシング６の髪処理部４の両側面に設けているが、これに限られず、例えば、吹出口１３を挟持部１５の左右両側に設けてもよい。
【００５８】
上記ヘアアイロンでは、第１の髪挟み部１の挟持部１５と第２の髪挟み部２の挟持部１６の両方にヒータを設けているが、少なくとも第１の髪挟み部１の挟持部１５にヒータが設けられていればよい。
【００５９】
上記ヘアアイロンでは、第１の髪挟み部１と第２の髪挟み部２とが対向する面に平板形状の挟持体１５，１６のみを設けているが、これに限らず、例えば、挟持体１５，１６の周囲に整髪用の櫛歯を設けてもよい。
【００６０】
上記ヘアアイロンでは、挟持体１５，１６の露出面をフラットに形成しているが、これに限られず、例えば、波型に形成してもよい。
【００６１】
また、髪処理部４側のケーシング６内部に温度制御装置を設けてもよい。この温度制御装置を設けることで、挟持体１５，１６のヒータの温度を一定範囲の任意の温度に設定することができる。
【００６２】
さらに、上記実施形態では、髪を真直ぐに伸ばすストレートアイロンについて説明したが、本発明のヘアアイロンは、例えば、第１の髪挟み部１および第２の髪挟み部２の髪処理部４の形状を断面視円形に形成することで、髪を巻いてボリュームを出すカールアイロンとして構成することもできる。
【００６３】
（第２実施形態）
図７は、この発明の第２実施形態のヘアアイロンの上面図であり、図８は、上記ヘアアイロンを示す図７のVIII-VIII線断面である。
【００６４】
本発明の第２実施形態のヘアアイロンは、第１の髪挟み部１０１と第２の髪挟み部２とを備え、これらの第１の髪挟み部１０４および第２の髪挟み部２は、それぞれ握り部３，８と髪処理部１０４，９とを有していて、握り部３，８側の端部で揺動軸５により互いに揺動可能に連結されており、基本的には、第１実施形態と同様の構成である。なお、上記第１実施形態の構成部と同一構成部には同一番号を付して、それらの詳しい説明は省略する。
【００６５】
この第２実施形態のヘアアイロンでは、図７、図８に示すように、吸気口１１０，１１１，１１２を第１の髪挟み部１０１のケーシング１０６の髪処理部１０４側の上面のみに設け、この吸気口１１０，１１１，１１２を上記ケーシング１０６内から覆うようにファンユニット１２２を配置している。ファンユニット１２２は、図示しないファンと、このファンを駆動する図示しないモータとからなっている。
【００６６】
上記吸気口１１０，１１１，１１２には、リブの一例の吸気口フード１３０，１３１，１３２を設けている。このように吸気口フード１３０，１３１，１３２を設けているのは、吸気口１１０，１１１，１１２がユーザの手や指で覆われたとしても、完全に塞がれることがないようにするためである。
【００６７】
また、上記第１の髪挟み部１０１のケーシング１０６には、このケーシング１０６の上面に開口を有する収納部１２４と、この収納部１２４の開口を開閉する着脱自在の蓋体１２３とを設けている。
【００６８】
上記収納部１２４は、ファンユニット１２２と挟持体１５との間に位置しており、この収納部１２４内には、帯電粒子生成装置の一例の帯電微粒子水発生器１２１と貯水タンク１２６とを収納している。
【００６９】
また、上記ケーシング１０６と収納部１２４の側面との間に風路１２５，１２５を設けている。この風路１２５，１２５を設けることで、吸気口１１０，１１１，１１２から吸気された空気を髪処理部４側に効率よく運ぶことができる。
【００７０】
上記帯電微粒子水発生器１２１は、図示していないが、供給される水に電圧を印加する針状の放電電極と、この放電電極に対向する位置に設けている対向電極と、放電電極と対向電極との間に高電圧を印加する高電圧印加部と、上記貯水タンク１２６内の水を上記放電電極に供給する供給管とを備えている。この帯電微粒子水発生器１２１の上部には、図８に示すように、上記貯水タンク１２６を着脱自在に取り付けており、上記蓋体１２３を開放することで貯水タンク１２６を帯電微粒子水発生器１２１から取り外して、容易に貯水タンク１２６に給水することができるようになっている。
【００７１】
上記構成の帯電微粒子水発生器１２１は、帯電粒子としてラジカル成分を含む帯電微粒子水を生成し、放出する。この帯電微小粒子水は、マイナスの電荷を帯びたナノメータサイズの水粒子であり、上記放電電極を例えばペルチェ素子により冷却することによって放電電極の表面に結露水を発生させ、この結露水が発生している放電電極と対向電極との間に、高電圧印加部によってマイナスの高電圧を印加して生成される。生成された帯電微小粒子水は、放電電極の先端から対向電極へと向かう電気力線に沿って放出される。
【００７２】
次に、上記構成のヘアアイロンの動作について説明する。
【００７３】
握り部３にあるスイッチ１４を入れることで、電源部２３から帯電微粒子水発生器１２１、ファンユニット１２２、挟持体１５，１６のヒータに電力が供給され、これらが駆動する。
【００７４】
上記ファンユニット１２２の駆動により、上記第１の髪挟み部１０１のケーシング１０６の吸気口１１０，１１１，１１２近傍の空気が、この吸気口１１０，１１１，１１２から上記ケーシング１０６内部に吸気され、髪処理部１０４側に向かって吹き出される。このとき、図７、図８の矢印に示すように、上記ケーシング１０６内部に吸気された空気は、風路１２５，１２５を通って流れ、髪処理部１０４側に向かう。
【００７５】
また、上記ファンユニット１２２の駆動と同時に上記帯電微粒子水発生器１２１により帯電微小粒子水が生成され、上記ケーシング１０６内部に放出される。この放出された帯電微小粒子水は、上記ファンユニット１２２により形成された空気の流れに乗って、吹出口１３からケーシング１０６の外部に放出され、ユーザの髪に供給される。
【００７６】
このように、ファンユニット１２２によって形成された空気の流れに帯電微小粒子水を乗せて吹出口１３から放出することで、ファンユニット１２２を用いない場合に比べてはるかに広範囲に亘って、帯電微小粒子水をユーザの髪に供給することができる。
【００７７】
なお、上記吹出口１３に加えて、または、上記吹出口１３に換えて、上記ケーシング１０６の両側面に、帯電微小粒子水を放出するための吹出口を有する側方突出部を設けてもよい。例えば、この側方突出部の帯電微小粒子水放出方向を、平面視において前方やや外側、かつ、断面視において前方やや下側に設定すれば、帯電微粒子水発生器１２１で生成され放出された帯電微小粒子水をユーザの髪に広範囲かつ効果的に供給することができる。
【００７８】
また、ファンユニット１２２の駆動中は、吹出口１３から冷風が吹き出すため、挟持部１５，１６により加熱された髪をすぐに冷却することができ、アイロン処理による髪のダメージを軽減することができる。
【００７９】
上記第１，第２実施形態のヘアアイロンの各々の構成要素は、可能ならば、お互いに入れ換え、あるいは追加してもよいことは勿論である。
【符号の説明】
【００８０】
１，１０１  第１の髪挟み部
２  第２の髪挟み部
３，８  握り部
４，９，１０４  髪処理部
５  揺動軸
６，７，１０６  ケーシング
１０，１１，１２，１１０，１１１，１１２  吸気口
１３  吹出口
１４  電源スイッチ
１５，１６  挟持体
１７，１８，１９  リブ
２０  点検口
２１  イオン発生器
２２，１２２  ファンユニット
２３  電源部
３１  張り出し部
３２  凹部
１２１  帯電微粒子水発生器
１２３  蓋体
１２４  収納部
１２５  風路
１２６  貯水タンク
１３０，１３１，１３２  吸気口フード
【図１】
2013121497.tif 000003
【図２】
2013121497.tif 000004
【図３】
2013121497.tif 000005
【図４】
2013121497.tif 000006
【図５】
2013121497.tif 000007
【図６】
2013121497.tif 000008
【図７】
2013121497.tif 000009
【図８】
2013121497.tif 000010